(57)【要約】【課題】簡易な構造のストレーナ装置により、カバー部材に付着した異物の除去を確実に行えるようにすることにある。【解決手段】流入ポート１３と流出ポート１４とを連通する流路１５中に取付口２０が形成されたハウジング１２と、取付口２０に着脱自在に装着されるキャップ２１とを備え、取付口２０から流路１５内に着脱自在に装着されるスクリーン２２により、流体中の異物Ｂを捕集するストレーナ装置１１において、流路１５内に突出するようにスクリーン２２の内側に非磁性体製の筒状のカバー部材２３を設ける。このカバー部材２３の内側に永久磁石２５を配し、永久磁石２５の磁力によって流体中の磁性を有する異物Ａをカバー部材２３に付着させる。カバー部材２３に付着した異物Ａを除去する際には、キャップ２１を取付口２０から取り外すことにより、永久磁石２５とともにカバー部材２３が取り外し可能となる。【選択図】図１
2010279887.tif 000002
【特許請求の範囲】
【請求項１】
流体が供給される流入ポートおよび流体を流出する流出ポートを備え、前記流入ポートと前記流出ポートとを連通する流路中に取付口が形成されたハウジングと、
前記流入ポート側および前記取付口側に開口する筒状に形成され、前記取付口から前記流路内に着脱自在に装着されて流体中の異物を捕集するスクリーンと、
非磁性体材料により形成され、前記流路内に突出するように前記スクリーンの内側に配される筒状のカバー部材と、
前記カバー部材の内側に挿入されて当該カバー部材により流体から遮断され、磁力によって流体中の磁性を有する異物を前記カバー部材に付着させる棒状の磁石と、
前記取付口に着脱自在に取り付けられ、前記カバー部材に付着した異物を除去する際に前記磁石とともに前記カバー部材を取り外し可能とするキャップとを有することを特徴とするストレーナ装置。
【請求項２】
請求項１記載のストレーナ装置において、前記取付口は前記カバー部材と前記ハウジングとの間で密閉され、前記磁石は前記カバー部材と前記キャップとの間に配されていることを特徴とするストレーナ装置。
【請求項３】
請求項１記載のストレーナ装置において、前記取付口は前記キャップと前記ハウジングとの間で密閉され、前記磁石は前記カバー部材に包被されていることを特徴とするストレーナ装置。
【請求項４】
請求項３記載のストレーナ装置において、前記カバー部材は、前記スクリーンと前記キャップとの間で狭持されていることを特徴とするストレーナ装置。
【請求項５】
請求項３記載のストレーナ装置において、前記カバー部材は、前記スクリーンの内側に設けられたばね部材により支持されていることを特徴とするストレーナ装置。
【請求項６】
請求項３記載のストレーナ装置において、前記カバー部材は、前記スクリーンと前記キャップとの間で狭持された押付部材により前記キャップとの間で固定されていることを特徴とするストレーナ装置。
【請求項７】
請求項１記載のストレーナ装置において、前記カバー部材は前記キャップに着脱自在に取り付けられ、前記取付口は前記キャップと前記ハウジングおよび前記カバー部材との間で密閉されていることを特徴とするストレーナ装置。
【発明の詳細な説明】
【技術分野】
【０００１】
本発明は、流体配管路内を流動する流体中の異物を捕集するストレーナ装置に関し、特に、流体中の微小金属片等の磁性を有する微小異物を除去可能とした永久磁石内蔵のストレーナ装置に関する。
【背景技術】
【０００２】
例えば、流体配管路内を流動する蒸気や圧縮空気などの流体中には、塵埃等の磁性を有さない異物や微小金属片等の磁性を有する微小異物が多く含まれており、これらの異物は圧力制御弁の弁座に噛み込まれたり方向制御弁の摺動部の隙間に挟まれたりして、制御弁やその他の流体機器の作動不良を起こす原因となる。そのため、蒸気管等の流体配管路には、流体配管路内を流動する流体中の異物を濾過するために、例えば、特許文献１に記載されるような永久磁石内蔵のストレーナ装置が設けられている。このストレーナ装置は、流入ポートと流出ポートとを連通する流路内に着脱自在に装着される筒状のスクリーンと、流路内に突出する棒状の永久磁石とを備えており、流体中の磁性を有する異物が磁力によって永久磁石に付着されるとともに、流体がスクリーンを通過する際に流体中の異物がスクリーンの網目で捕集されるようになっている。この永久磁石は筒状のスクリーンの内側に配されており、スクリーンを着脱するための取付口から永久磁石を着脱することが可能であるため、ストレーナ装置を大型化することなく既設のストレーナ装置に永久磁石を取り付けることができるようになっている。
【０００３】
しかしながら、特許文献１に記載されるストレーナ装置においては、永久磁石が剥き出しのまま流路内に突出されているため、流体との接液によって永久磁石が腐食されて、永久磁石が破損するおそれがある。そこで、特許文献２に記載されるように、永久磁石を非磁性体製のカバー部材により覆うことで永久磁石を流体から遮断するようにしたストレーナ装置がある。このストレーナ装置では、永久磁石の磁力によって流体中の磁性を有する異物がカバー部材の外面に付着されるようになっている。
【先行技術文献】
【特許文献】
【０００４】
【特許文献１】実開昭６０−１６８５５６号公報
【特許文献２】特開平８−１１７５１７号公報
【発明の概要】
【発明が解決しようとする課題】
【０００５】
ところで、特許文献２に記載されるストレーナ装置においては、流路内に突出されたカバー部材内に永久磁石が移動自在に挿入されており、カバー部材に付着した異物を除去する際には、永久磁石を取付口側に移動させてカバー部材に付着した異物を取付口側に集めた状態でブローバルブを開弁することにより、カバー部材に付着した異物を流体の流れによって排出ポートから排出するようにしている。これにより、カバー部材をストレーナ装置から取り外さなくとも、カバー部材に付着した異物を除去できるようになっている。
【０００６】
しかしながら、この場合には、取付口の開口側に異物を排出するための排出ポートを設ける必要があり、ストレーナ装置の構造が繁雑となる。また、カバー部材に付着した異物を流体の流れによって排出するようにしているので、ブローバルブを開弁してカバー部材に付着した異物を除去する際に、流体の流れによってカバー部材から剥ぎ落とされた微小異物がスクリーンを通過して流出ポート側に流出するおそれがある。
【０００７】
本発明の目的は、簡易な構造のストレーナ装置により、カバー部材に付着した異物の除去を確実に行えるようにすることにある。
【課題を解決するための手段】
【０００８】
本発明のストレーナ装置は、流体が供給される流入ポートおよび流体を流出する流出ポートを備え、前記流入ポートと前記流出ポートとを連通する流路中に取付口が形成されたハウジングと、前記流入ポート側および前記取付口側に開口する筒状に形成され、前記取付口から前記流路内に着脱自在に装着されて流体中の異物を捕集するスクリーンと、非磁性体材料により形成され、前記流路内に突出するように前記スクリーンの内側に配される筒状のカバー部材と、前記カバー部材の内側に挿入されて当該カバー部材により流体から遮断され、磁力によって流体中の磁性を有する異物を前記カバー部材に付着させる棒状の磁石と、前記取付口に着脱自在に取り付けられ、前記カバー部材に付着した異物を除去する際に前記磁石とともに前記カバー部材を取り外し可能とするキャップとを有することを特徴とする。
【０００９】
本発明のストレーナ装置は、前記取付口は前記カバー部材と前記ハウジングとの間で密閉され、前記磁石は前記カバー部材と前記キャップとの間に配されていることを特徴とする。
【００１０】
本発明のストレーナ装置は、前記取付口は前記キャップと前記ハウジングとの間で密閉され、前記磁石は前記カバー部材に包被されていることを特徴とする。
【００１１】
本発明のストレーナ装置は、前記カバー部材は、前記スクリーンと前記キャップとの間で狭持されていることを特徴とする。
【００１２】
本発明のストレーナ装置は、前記カバー部材は、前記スクリーンの内側に設けられたばね部材により支持されていることを特徴とする。
【００１３】
本発明のストレーナ装置は、前記カバー部材は、前記スクリーンと前記キャップとの間で狭持された押付部材により前記キャップとの間で固定されていることを特徴とする。
【００１４】
本発明のストレーナ装置は、前記カバー部材は前記キャップに着脱自在に取り付けられ、前記取付口は前記キャップと前記ハウジングおよび前記カバー部材との間で密閉されていることを特徴とする。
【発明の効果】
【００１５】
本発明のストレーナ装置によれば、永久磁石とともにカバー部材を取り外し可能としたので、カバー部材の外面に付着した磁性を有する異物を除去する際にカバー部材を容易に取り外すことができ、カバー部材に付着した異物の除去を確実に行うことが可能となる。したがって、従来技術のストレーナ装置のように異物を排出するための排出ポートを設ける必要がなく、ストレーナ装置を簡易な構造とすることができる。また、カバー部材をハウジングから取り外した状態でカバー部材に付着した異物を除去するため、カバー部材から除去された微小金属片等の微小異物がスクリーンを通過して流出ポート側に流出されることを防止することができる。
【図面の簡単な説明】
【００１６】
【図１】本発明の第一実施形態のストレーナ装置を示す断面図である。
【図２】図１のストレーナ装置を一部拡大して示す断面図である。
【図３】図１のストレーナ装置を分解して示す断面図である。
【図４】本発明の第二実施形態のストレーナ装置を示す断面図である。
【図５】図４のストレーナ装置を一部拡大して示す断面図である。
【図６】図４のストレーナ装置を分解して示す断面図である。
【図７】本発明の第三実施形態のストレーナ装置を示す断面図である。
【図８】図７のストレーナ装置を一部拡大して示す断面図である。
【図９】図７のストレーナ装置を分解して示す断面図である。
【図１０】本発明の第四実施形態のストレーナ装置を示す断面図である。
【図１１】図１１のストレーナ装置を一部拡大して示す断面図である。
【図１２】図１１のストレーナ装置を分解して示す断面図である。
【図１３】本発明の第五実施形態のストレーナ装置を示す断面図である。
【図１４】図１３のストレーナ装置を一部拡大して示す断面図である。
【図１５】図１３のストレーナ装置を分解して示す断面図である。
【発明を実施するための形態】
【００１７】
以下、本発明の実施の形態を図面に基づいて詳細に説明する。このストレーナ装置１１は流体配管路に設けられて、流体配管路内を流動する蒸気や圧縮空気などの流体中に含まれる塵埃や微小金属片等の固形異物を除去するために用いられる。図１に示すように、ストレーナ装置１１は流体配管路の一部を構成するハウジング１２を有している。ハウジング１２は、上流側に連結されて流体が供給される流入ポート１３と、下流側に連結されて流体を流出する流出ポート１４とを備えており、これら流入ポート１３と流出ポート１４とを連通する流路１５中にスクリーン収容室１６が形成された略Ｙ字状に形成されている。つまり、このストレーナ装置１１は所謂Ｙ形ストレーナとなっている。流入ポート１３と流出ポート１４とは略同軸状に形成されており、流入ポート１３および流出ポート１４には配管接続用の雌ねじが切られている。
【００１８】
図３に示すように、ハウジング１２には、スクリーン収容室１６と流入ポート１３側とを連通する円形の連通孔１７が形成された隔壁１８が設けられている。連通孔１７は、隔壁１８の段差部１８ａにより、流入ポート１３側の小径部１７ａとスクリーン収容室１６側の大径部１７ｂとを備えた段付き孔形状となっており、この連通孔１７を介して、スクリーン収容室１６と流入ポート１３側とは、流入ポート１３と流出ポート１４とを結ぶ軸線に対して傾斜した方向に連通している。一方、スクリーン収容室１６と流出ポート１４側とは、スクリーン収容室１６と流入ポート１３側との連通方向に対してほぼ直交する方向に連通している。これにより、ハウジング１２の内部には、流入ポート１３からスクリーン収容室１６を通って流出ポート１４へ流体が流動可能な流路１５が屈曲して形成されている。
【００１９】
また、ハウジング１２には、スクリーン収容室１６において連通孔１７と対向する側に開口する円形の取付口２０が形成されている。取付口２０は連通孔１７と略同軸状となるように流路１５中に形成されており、スクリーン収容室１６は取付口２０を介してハウジング１２の外部と連通している。この取付口２０は、ハウジング１２に設けられた段差部１２ａにより、スクリーン収容室１６側の小径部２０ａと開口側の大径部２０ｂとを備えた段付き孔形状となっている。取付口２０の大径部２０ｂにはキャップ取付用の雌ねじが切られており、取付口２０の大径部２０ｂにキャップ２１が着脱自在に取り付けられて、取付口２０がキャップ２１により閉塞されるようになっている。このキャップ２１には、スクリーン収容室１６側に開口する円形の収容溝２１ａが形成されている。
【００２０】
スクリーン収容室１６内には、流体中の異物を捕集するためのスクリーン２２が取付口２０から着脱自在に装着されている。スクリーン２２は、無数の微細な網目を有するステンレス鋼等の非磁性体製の金網により、流入ポート１３側および取付口２０側に開口するとともに流出ポート１４側に側壁が対向する円筒形状に形成されている。スクリーン２２の流入ポート１３側の開口端部は、連通孔１７の大径部１７ｂに挿入されて、隔壁１８の段差部１８ａに突き当てられている。一方、図２に示すように、スクリーン２２の取付口２０側の開口端部は取付口２０の小径部２０ａに挿入され、スクリーン２２の取付口２０側の開口端部にカバー部材２３が突き当てられている。つまり、スクリーン２２は取付口２０から流路１５内へ配されて、これら隔壁１８とカバー部材２３との間で固定されている。なお、スクリーン２２としては、ステンレス鋼等の非磁性体製の金属板に無数の小さな孔をあけた多孔製金属プレートや樹脂製繊維を円筒状に形成したものを用いてもよい。
【００２１】
カバー部材２３はステンレス鋼等の非磁性体材料により形成され、キャップ２１側に開口する収容室２３ａが形成された有底円筒形状の被覆部２３ｂと、被覆部２３ｂの開口端部から径方向外側に延びる被狭持部２３ｃとを備えている。このカバー部材２３は、被覆部２３ｂがスクリーン２２の内側に挿入されて流路１５内に突出されるとともに、被狭持部２３ｃがスクリーン２２の取付口２０側の開口端部に突き当てられた状態で配されており、スクリーン２２の取付口２０側の開口部がカバー部材２３により閉塞されている。カバー部材２３の被覆部２３ｂはスクリーン２２の軸方向略中央部まで延びており、スクリーン２２との間に所定の間隔をあけて配されている。また、カバー部材２３の被狭持部２３ｃはハウジング１２の段差部１２ａとキャップ２１との間で狭持されており、これにより、カバー部材２３とともにスクリーン２２がハウジング１２に対して固定されている。ハウジング１２の段差部１２ａには、カバー部材２３の被狭持部２３ｃに当接するシール材としてのＯリング２４が装着されており、取付口２０はハウジング１２とカバー部材２３との間で密閉されている。
【００２２】
図２に示すように、カバー部材２３がハウジング１２の段差部１２ａとキャップ２１との間で固定された状態では、カバー部材２３の収容室２３ａとキャップ２１の収容溝２１ａとが連通されており、これら収容室２３ａと収容溝２１ａとにより磁石収容室が形成されている。この磁石収容室内には、流体中の微小金属片等の磁性を有する微小異物を除去するために、丸棒状の永久磁石２５がその軸方向をスクリーン２２の軸方向に向けて配置されている。永久磁石２５はカバー部材２３の内側に挿入されてカバー部材２３とキャップ２１との間で固定されており、スクリーン２２の内側には永久磁石２５の磁力が働いている。また、この永久磁石２５は、流路１５に対向する面がカバー部材２３により覆われて流路１５内を流動する流体と遮断されており、流体との接液によって永久磁石２５が腐食することが防止されるようになっている。
【００２３】
このストレーナ装置１１に供給される流体は、流入ポート１３からスクリーン２２の内側に流入し、スクリーン２２を通過して流出ポート１４から流出される。このとき、流入ポート１３からスクリーン２２の内側に流入する流体中の異物のうち微小金属片等の磁性を有する異物Ａは、スクリーン２２の内側に配された永久磁石２５の磁力によって引き寄せられ、カバー部材２３の被覆部２３ｂの外面に付着される。また、塵埃等の磁性を有さない異物Ｂは、スクリーン２２を通過する際にスクリーン２２の網目で捕集されることとなる。これにより、流体中の異物がストレーナ装置１１により濾過されるので、ストレーナ装置１１の下流側に設けられる流体機器に異物が噛み込む等して作動不良を起こすことが防止されるようになっている。
【００２４】
図３に示すように、このストレーナ装置１１では、キャップ２１を取付口２０から取り外すことにより、永久磁石２５とともにスクリーン２２やカバー部材２３をハウジング１２から取り外し可能であり、スクリーン２２の網目が目詰まりしたりカバー部材２３に異物が積層した場合には、スクリーン２２やカバー部材２３を取り外してこれらに付着した異物を除去することで、ストレーナ装置１１を繰り返し使用することでできるようになっている。
【００２５】
このように、キャップ２１を取付口２０から取り外すことにより永久磁石２５とともにカバー部材２３を取り外し可能としたので、カバー部材２３の外面に付着した磁性を有する異物Ａを除去する際にカバー部材２３を容易に取り外すことができ、カバー部材２３に付着した磁性を有する異物Ａの除去を確実に行うことが可能となる。したがって、特許文献２に記載されるストレーナ装置のように異物を排出するための排出ポートを設ける必要がなく、ストレーナ装置１１を簡易な構造とすることができる。また、カバー部材２３をハウジング１２から取り外した状態でカバー部材２３に付着した異物を除去するため、カバー部材２３から除去された微小金属片等の微小異物がスクリーン２２を通過して流出ポート１４側に流出されることを防止することができる。
【００２６】
これまで説明したように、図１〜図３に示すストレーナ装置１１にあっては、取付口２０をカバー部材２３とハウジング１２との間で密閉し、永久磁石２５をカバー部材２３とキャップ２１との間に配することで、流路１５内を流動する流体から永久磁石２５を遮断するようにしているが、これに限定されることはなく、取付口をキャップとハウジングとの間で密閉し、永久磁石をカバー部材により包被することで、流路内を流動する流体から永久磁石を遮断するようにしてもよい。ここで、図４は本発明の第二実施形態のストレーナ装置を示す断面図であり、図５は図４のストレーナ装置を一部拡大して示す断面図であり、図６は図４のストレーナ装置を分解して示す断面図である。図７は本発明の第三実施形態のストレーナ装置を示す断面図であり、図８は図７のストレーナ装置を一部拡大して示す断面図であり、図９は図７のストレーナ装置を分解して示す断面図である。図１０は本発明の第四実施形態のストレーナ装置を示す断面図であり、図１１は図１０に示すストレーナ装置を一部拡大して示す断面図であり、図１２は図１０のストレーナ装置を分解して示す断面図である。なお、図４〜図１２において、図１〜図３に示す部材と同様の部材については同一の符号を付してその説明を省略する。
【００２７】
図４に示すストレーナ装置３０は、流体中の微小金属片等の磁性を有する微小異物を除去するための永久磁石２５を備えた永久磁石内蔵のストレーナ装置である。ハウジング１２に形成された円形の取付口３１は、スクリーン収容室１６において連通孔１７と対向する側に当該連通孔１７と略同軸状となるように流路１５中に形成されている。取付口３１にはキャップ取付用の雌ねじが切られており、取付口３１にキャップ３２が着脱自在に取り付けられて、取付口３１がキャップ３２により閉塞されるようになっている。このキャップ３２にはスクリーン収容室１６側に開口する円形の収容溝３３が形成されており、収容溝３３は、キャップ３２に設けられた段差部３２ａにより、スクリーン収容室１６側に開口する大径部３３ａと、当該大径部３３ａに連通する小径部３３ｂとを備える段付き溝形状となっている。キャップ３２には、ハウジング１２の取付口３１側の開口端部に当接するシール材としてのＯリング３４が装着されており、取付口３１はハウジング１２とキャップ３２との間で密閉されている。
【００２８】
スクリーン収容室１６内に着脱自在に装着されるスクリーン２２には、流入ポート１３側および取付口３１側の開口部に、スクリーン２２を補強するための補強部材２２ａが取り付けられている。スクリーン２２の流入ポート１３側の開口端部は、連通孔１７の大径部１７ｂに挿入されて、隔壁１８の段差部１８ａに突き当てられている。一方、図５に示すように、スクリーン２２の取付口３１側の開口端部はキャップ３２に形成された収容溝３３の大径部３３ａに挿入され、スクリーン２２の取付口３１側の開口端部にカバー部材３５が突き当てられている。つまり、スクリーン２２は取付口３１から流路１５内へ配されて、これら隔壁１８とカバー部材３５との間で固定されている。
【００２９】
ステンレス鋼等の非磁性体材料により形成されたカバー部材３５は、キャップ３２側に開口する収容室３６ａが形成された有底円筒形状の被覆部３６ｂと、被覆部３６ｂの開口端部から径方向外側に延びる被狭持部３６ｃとを備えた収容部材３６、および収容部材３６の開口端部に突き当てられて収容室３６ａを閉塞する円板形状の閉塞部材３７を有している。収容部材３６と閉塞部材３７とは、収容部材３６の被狭持部３６ｃと閉塞部材３７の外周部に形成された被狭持部３７ａとにおいて溶接等の固定手段により固着されており、カバー部材３４の内部には収容室３６ａにより磁石収容室が密閉された状態で形成されている。
【００３０】
このカバー部材３５は、被覆部３６ｂがスクリーン２２の内側に挿入されて流路１５内に突出されるとともに、被狭持部３６ｃがスクリーン２２の取付口３１側の開口端部に突き当てられた状態で配されており、スクリーン２２の取付口３１側の開口部がカバー部材３５により閉塞されている。カバー部材３５の被覆部３６ｂはスクリーン２２の軸方向略中央部まで延びており、スクリーン２２との間に所定の間隔をあけて配されている。また、カバー部材３５の被狭持部３６ｃ，３７ａはスクリーン２２の取付口３１側の開口端部とキャップ３２の段差部３２ａとの間で狭持されており、これにより、カバー部材３５とともにスクリーン２２がハウジング１２に対して固定されている。
【００３１】
カバー部材３５内に形成された磁石収容室内には、流体中の微小金属片等の磁性を有する微小異物を除去するために、丸棒形状の永久磁石２５がその軸方向をスクリーン２２の軸方向に向けて配置されている。永久磁石２５はカバー部材３５の内側に挿入されてカバー部材３５内に固定されており、スクリーン２２の内側には永久磁石２５の磁力が働いている。また、この永久磁石２５は、カバー部材３５により包被されて流路１５内を流動する流体と遮断されており、流体との接液によって永久磁石２５が腐食することが防止されるようになっている。
【００３２】
このように、図４〜図６に図示するストレーナ装置３０にあっては、取付口３１をキャップ３２とハウジング１２との間で密閉して、永久磁石２５をカバー部材３５により包被することで流路１５内を流動する流体から永久磁石２５を遮断しており、カバー部材３５をスクリーン２２とキャップ３２との間で狭持するようにしている。このストレーナ装置３０においても、図６に示すように、キャップ３２を取付口３１から取り外すことにより永久磁石２５とともにカバー部材３５を取り外し可能となるので、上記のストレーナ装置１１と同様の効果を奏することができる。また、本実施形態のストレーナ装置３０においては、永久磁石２５をカバー部材３５により包被して永久磁石２５とカバー部材３５とをユニット化しているので、永久磁石２５およびカバー部材３５の着脱を容易に行うことが可能となっている。
【００３３】
さらに、本実施の形態のストレーナ装置３０においては、キャップ３２を取付口３１から取り外すことにより永久磁石２５およびカバー部材３５とともにスクリーン２２も取り外し可能となるので、スクリーン２２に付着した異物を除去する際にスクリーン２２を容易に取り外すことができ、スクリーン２２に付着した異物の除去を確実に行うことができる。なお、上記のストレーナ装置１１においても、キャップ２１を取付口２０から取り外すことで永久磁石２５およびカバー部材２３とともにスクリーン２２を取り外すことが可能となり、同様の効果を奏することができるのはもちろんである。
【００３４】
続いて、図７に示すストレーナ装置４０は、流体中の微小金属片等の磁性を有する微小異物を除去するための永久磁石２５を備えた永久磁石内蔵のストレーナ装置である。スクリーン収容室１６内に着脱自在に装着されるスクリーン２２は、その流入ポート１３側の開口端部が連通孔１７の大径部１７ａに挿入されて、隔壁１８の段差部１８ａに突き当てられている。一方、図８に示すように、スクリーン２２の取付口３１側の開口端部はキャップ３２に形成された収容溝３３の大径部３３ａに挿入され、スクリーン２２の取付口３１側の開口端部にキャップ３２の段差部３２ａが突き当てられている。つまり、スクリーン２２は取付口３１から流路１５内へ配されて、これら隔壁１８とキャップ３２との間で固定されている。
【００３５】
ステンレス鋼等の非磁性体材料により形成されたカバー部材４１は、キャップ３２側に開口する収容室４２ａが形成された有底円筒形状の被覆部４２ｂと、被覆部４２ｂの開口端部から径方向外側に延びるとともにその外周部からスクリーン収容室１６側に折曲する断面略Ｌ字形状の被支持部４２ｃとを備えた収容部材４２、および収容部材４２の開口端部に突き当てられて収容室４２ａを閉塞する蓋形状の閉塞部材４３とを有している。収容部材４２と閉塞部材４３とは溶接等の固定手段により固着されており、カバー部材４１の内部には収容室４２ａにより磁石収容室が密閉された状態で形成されている。
【００３６】
このカバー部材４１は、被覆部４２ｂがスクリーン２２の内側に挿入されて流路１５内に突出されるとともに、被支持部４２ｃおよび閉塞部材４３がスクリーン２２の取付口３１側の開口部に配されている。カバー部材４１の被覆部４２ｂはスクリーン２２の軸方向略中央部まで延びており、スクリーン２２との間に所定の間隔をあけて配されている。また、カバー部材４１の被支持部４２ｃには、スクリーン２２の流入ポート１３側の開口端部に一端が固定されたコイルばね（ばね部材）４４の他端が固定されており、このコイルばね４４によりカバー部材４１がスクリーン２２に対して支持されている。
【００３７】
カバー部材４１内に形成された磁石収容室内には、流体中の微小金属片等の磁性を有する微小異物を除去するために、丸棒形状の永久磁石２５がその軸方向をスクリーン２２の軸方向に向けて配置されている。永久磁石２５はカバー部材４１の内側に挿入されてカバー部材４１内に固定されており、スクリーン２２の内側には永久磁石２５の磁力が働いている。また、この永久磁石２５は、カバー部材４１により包被されて流路１５内を流動する流体と遮断されており、流体との接液によって永久磁石２５が腐食することが防止されるようになっている。
【００３８】
このように、図７〜図９に図示するストレーナ装置４０にあっては、取付口３１をキャップ３２とハウジング１２との間で密閉して、永久磁石２５をカバー部材４１により包被することで流路１５内を流動する流体から永久磁石２５を遮断しており、カバー部材４１をスクリーン２２の内側に設けられたコイルばね４４により支持するようにしている。このストレーナ装置４０においても、図９に示すように、キャップ３２を取付口３１から取り外すことにより永久磁石２５とともにカバー部材４１およびスクリーン２２を取り外し可能となるので、上記のストレーナ装置３０と同様の効果を奏することができる。
【００３９】
なお、本実施の形態においては、スクリーン２２の流入ポート１３側の開口端部に一端が固定されたコイルばねの他端をカバー部材４１の被支持部４２ｃに固定することで、コイルばね４４によりカバー部材４１をスクリーン２２に対して支持するようにしたが、隔壁１８の段差部１８ａに一端が当接されたコイルばねによりカバー部材４１の被支持部４２ｃをキャップ３２側に付勢して、コイルばねによりカバー部材４１をキャップ３２側に押し付けることでカバー部材４１をハウジング１２に対して固定するようにしてもよい。
【００４０】
続いて、図１０に示すストレーナ装置５０は、流体中の微小金属片等の磁性を有する微小異物を除去するための永久磁石２５を備えた永久磁石内蔵のストレーナ装置である。スクリーン収容室１６内に着脱自在に装着されるスクリーン２２は、その流入ポート１３側の開口端部が連通孔１７の大径部１７ｂに挿入されて、隔壁１８の段差部１８ａに突き当てられている。一方、図１１に示すように、スクリーン２２の取付口３１側の開口端部はキャップ３２に形成された収容溝３３の大径部３３ａに挿入され、スクリーン２２の取付口３１側の開口端部に押付部材５１が突き当てられている。つまり、スクリーン２２は取付口３１から流路１５内へ配されて、これら隔壁１８と押付部材５１との間で固定されている。
【００４１】
押付部材５１は径方向中心部に貫通孔５１ａが形成された円板形状であり、キャップ３２に形成された収容溝３３の大径部３３ａ内に配置されている。押付部材５１の外周部に形成された被狭持部５１ｂはスクリーン２２の取付口３１側の開口端部とキャップ３２の段差部３２ａとの間で狭持されており、これにより、押付部材５１とともにスクリーン２２がハウジング１２に対して固定されている。
【００４２】
ステンレス鋼等の非磁性材料により形成されたカバー部材５２は、キャップ３２側に開口する収容室５３ａが形成された有底円筒形状の被覆部５３ｂと、被覆部５３ｂの開口端部から径方向外側に延びる被狭持部５３ｃとを備えた収容部材５３、および収容部材５３の開口端部に突き当てられて収容室５３ａを閉塞する閉塞部材５４とを有している。収容部材５３と閉塞部材５４とは、閉塞部材５４に設けられたカシメ部５４ａにおいて収容部材５３の被狭持部５３ｃをカシメすることにより固定されている。また、閉塞部材５４には、被狭持部５３ｃの開口側の端面に当接するシール部材としてのＯリング５５が装着されており、カバー部材５２の内部には収容室５３ａにより磁石収容室が密閉された状態で形成されている。
【００４３】
このカバー部材５２は、被覆部５３ｂが押付部材５１の貫通孔５１ａを介してスクリーン２２の内側に挿入され流路１５内に突出されるとともに、被狭持部５３ｃおよび閉塞部材５４がキャップ３２に形成された収容溝３３の小径部３３ｂ内に配されている。カバー部材５２の被覆部５３ｂはスクリーン２２の軸方向略中央部まで延びており、スクリーン２２との間に所定の間隔をあけて配されている。また、カバー部材５２の閉塞部材５４は、押付部材５１とキャップ３２との間で固定されており、これにより、カバー部材５２がハウジング１２に対して固定されている。
【００４４】
カバー部材５２内に形成された磁石収容室内には、流体中の微小金属片等の磁性を有する微小異物を除去するために、丸棒形状の永久磁石２５がその軸方向をスクリーン２２の軸方向に向けて配置されている。永久磁石２５はカバー部材５２の内側に挿入されてカバー部材５２内に固定されており、スクリーン２２の内側には永久磁石２５の磁力が働いている。また、この永久磁石２５は、カバー部材５２により包被されて流路１５内を流動する流体と遮断されており、流体との接液によって永久磁石２５が腐食することが防止されるようになっている。
【００４５】
このように、図１０〜図１２に図示するストレーナ装置５０にあっては、取付口３１をキャップ３２とハウジング１２との間で密閉して、永久磁石２５をカバー部材５２により包被することで流路１５内を流動する流体から永久磁石２５を遮断しており、スクリーン２２とキャップ３２との間で狭持された押付部材５１によりカバー部材５２をキャップと３２との間で固定するようにしている。このストレーナ装置５０においても、図１２に示すように、キャップ３２を取付口３１から取り外すことにより永久磁石２５とともにカバー部材５２およびスクリーン２２を取り外し可能となるので、上記のストレーナ装置３０と同様の効果を奏することができる。
【００４６】
また、これまで説明したように、図１〜図１２に示すストレーナ装置１１，３０，４０，５０にあっては、キャップ２１，３２を取付口２０，３１から取り外すことで永久磁石２５とともにスクリーン２２およびカバー部材２３，３５，４１，５２を取り外し可能としているが、これに限定されず、キャップにカバー部材を着脱自在に取り付けることで永久磁石とともにカバー部材のみを取り外し可能としてもよい。ここで、図１３は本発明の第五実施形態のストレーナ装置を示す断面図であり、図１４は図１３のストレーナ装置を一部拡大して示す断面図であり、図１５は図１３のストレーナ装置を分解して示す断面図である。なお、図１３〜図１５において、図１〜図１２に示す部材と同様の部材については同一の符号を付してその説明を省略する。
【００４７】
図１３に示すストレーナ装置６０は、流体中の微小金属片等の磁性を有する微小異物を除去するための永久磁石２５を備えた永久磁石内蔵のストレーナ装置である。ハウジング１２に形成された取付口３１にはキャップ６１が着脱自在に取り付けられて、取付口３１がキャップ６１により閉塞されるようになっている。このキャップ６１には、スクリーン収容室１６側に開口する収容溝６１ａ、スクリーン収容室１６側とは反対側に開口する装着溝６１ｂ、これら収容溝６１ａと装着溝６１ｂとを区画する隔壁６１ｃが形成されており、隔壁６１ｃには収容溝６１ａと装着溝６１ｂとを連通する連通孔６１ｄが形成されている。装着溝６１ｂの開口側には固定ねじ取付用の雌ねじが切られており、装着溝６１ｂに固定ねじ６２が着脱自在に取り付けられて、装着溝６１ｂの開口側が固定ねじ６２により閉塞されるようになっている。キャップ６１には、ハウジング１２の取付口３１側の開口端部に当接するシール部材としてのＯリング３４が装着されている。
【００４８】
スクリーン収容室１６内に着脱自在に装着されるスクリーン２２は、その流入ポート１３側の開口端部が連通孔１７の大径部１７ａに挿入されて、隔壁１８の段差部１８ａに突き当てられている。一方、図１４に示すように、スクリーン２２の取付口３１側の開口端部はキャップ６１の収容溝６１ａに挿入され、スクリーン２２の取付口３１側の開口端部にキャップ６１の隔壁６１ｃが突き当てられている。つまり、スクリーン２２は取付口３１から流路１５内へ配されて、これら隔壁１８とキャップ６１との間で固定されている。
【００４９】
ステンレス鋼等の非磁性体材料により形成されたカバー部材６３は、固定ねじ６２側に開口する収容室６４ａが形成された収容部材６４と、収容部材６４の開口端部に溶接されて径方向外側に延びる被狭持部材６５とを備えている。カバー部材６３の開口部にはゴム材料等からなる弾性部材６６が着脱自在に装着されて、カバー部材６３の開口部が弾性部材６６により閉塞されている。これにより、カバー部材６３の内部には収容室６４ａによって磁石収容室が形成されている。
【００５０】
このカバー部材６３は、収容部材６４が連通孔６１ｄを介してスクリーン２２の内側に挿入され流路１５内に突出されるとともに、被狭持部材６５が装着溝６１ｂ内に収容されて隔壁６１ｃに突き当てられた状態で配されており、キャップ６１の連通孔６１ｄがカバー部材６３により閉塞されている。カバー部材６３の収容部材６４はスクリーン２２の軸方向略中央部まで延びており、スクリーン２２との間に所定の間隔をあけて配されている。また、カバー部材６３の被狭持部材６５はキャップ６１の隔壁６１ｃと固定ねじ６２との間で固定されており、これにより、カバー部材６３がキャップ６１に着脱自在に装着されている。キャップ６１の隔壁６１ｃには被狭持部材６５に当接するシール部材としてのＯリング６７が装着されており、取付口３１はキャップ６１とハウジング１２およびカバー部材６３との間で密閉されている。
【００５１】
カバー部材６３内に形成された磁石収容室内には、流体中の微小金属片等の磁性を有する微小異物を除去するために、丸棒形状の永久磁石２５がその軸方向をスクリーン２２の軸方向に向けて配置されている。永久磁石２５はカバー部材６３の内側に挿入されてカバー部材６３内に固定されており、スクリーン２２の内側には永久磁石２５の磁力が働いている。また、この永久磁石２５は、流路１５内を流動する流体に対向する面がカバー部材６３により覆われて流路１５内を流動する流体と遮断されており、流体との接液によって永久磁石２５が腐食することが防止されるようになっている。
【００５２】
このように、図１３〜図１５に図示するストレーナ装置６０にあっては、カバー部材６３をキャップ６１に着脱自在に装着しており、取付口３１をキャップ６１とハウジング１２およびカバー部材６３との間で密閉して、永久磁石２５をカバー部材６３により覆うことで流路１５内を流動する流体から永久磁石２５を遮断するようにしている。このストレーナ装置６０においても、キャップ６１に着脱自在に取り付けられる固定ねじ６２を取り外すことにより、永久磁石２５とともにカバー部材６３を取り外し可能となるので、上記のストレーナ装置１１と同様の効果を奏することができる。また、本実施形態のストレーナ装置６０においては、固定ねじ６２をキャップ６１から取り外すことにより永久磁石２５とともにカバー部材６３を取り外し可能となり、キャップ６１を取付口３１から取り外すことによりスクリーン２２を取り外し可能となるので、スクリーン２２を装着したままカバー部材６３を取り外したり、カバー部材６３をキャップ６１に装着したままスクリーン２２を取り外したりすることができ、カバー部材６３またはスクリーン２２の着脱を容易に行うことが可能となる。
【００５３】
さらに、本実施形態のストレーナ装置６０においては、弾性部材６６をカバー部材６３から取り外すことによりカバー部材６３内から永久磁石２５を取り外し可能としたので、カバー部材６３の外面に付着した磁性を有する異物を除去する際に、カバー部材６３内から永久磁石２５を取り外してカバー部材６３に付着した磁性を有する異物に磁力が働かないようにすることで、カバー部材６３に付着した異物を容易に除去することが可能となっている。なお、上記のストレーナ装置１１においても、カバー部材２３内から永久磁石２５を取り外すことで、カバー部材２３に付着した異物を容易に除去することが可能となることはもちろんである。
【００５４】
本発明は前記実施の形態に限定されるものではなく、その要旨を逸脱しない範囲で種々変更可能である。例えば、前記実施の形態のストレーナ装置１１，３０，４０，５０，６０においては、永久磁石２５を丸棒状に形成したが、これに限定されず、角柱状や円筒状に形成しても良い。
【符号の説明】
【００５５】
１１  ストレーナ装置
１２  ハウジング
１２ａ  段差部
１３  流入ポート
１４  流出ポート
１５  流路
１６  スクリーン収容室
１７  連通孔
１７ａ  小径部
１７ｂ  大径部
１８  隔壁
１８ａ  段差部
２０  取付口
２０ａ  小径部
２０ｂ  大径部
２１  キャップ
２１ａ  収容溝
２２  スクリーン
２２ａ  補強部材
２３  カバー部材
２３ａ  収容室
２３ｂ  被覆部
２３ｃ  被狭持部
２４  Ｏリング
２５  永久磁石
３０  ストレーナ装置
３１  取付口
３２  キャップ
３２ａ  段差部
３３  収容溝
３３ａ  大径部
３３ｂ  小径部
３４  Ｏリング
３５  カバー部材
３６  収容部材
３６ａ  収容室
３６ｂ  被覆部
３６ｃ  被狭持部
３７  閉塞部材
３７ａ  被狭持部
４０  ストレーナ装置
４１  カバー部材
４２  収容部材
４２ａ  収容室
４２ｂ  被覆部
４２ｃ  被支持部
４３  閉塞部材
４４  コイルばね（ばね部材）
５０  ストレーナ装置
５１  押付部材
５１ａ  貫通孔
５１ｂ  被狭持部
５２  カバー部材
５３  収容部材
５３ａ  収容室
５３ｂ  被覆部
５３ｃ  被狭持部
５４  閉塞部材
５４ａ  カシメ部
５５  Ｏリング
６０  ストレーナ装置
６１  キャップ
６１ａ  収容溝
６１ｂ  装着溝
６１ｃ  隔壁
６１ｄ  連通孔
６２  固定ねじ
６３  カバー部材
６４  収容部材
６４ａ  収容室
６５  被狭持部材
６６  弾性部材
６７  Ｏリング
Ａ    流体中の磁性を有する異物
Ｂ    流体中の磁性を有さない異物
【図１】
2010279887.tif 000003
【図２】
2010279887.tif 000004
【図３】
2010279887.tif 000005
【図４】
2010279887.tif 000006
【図５】
2010279887.tif 000007
【図６】
2010279887.tif 000008
【図７】
2010279887.tif 000009
【図８】
2010279887.tif 000010
【図９】
2010279887.tif 000011
【図１０】
2010279887.tif 000012
【図１１】
2010279887.tif 000013
【図１２】
2010279887.tif 000014
【図１３】
2010279887.tif 000015
【図１４】
2010279887.tif 000016
【図１５】
2010279887.tif 000017